(57)【要約】【課題】商用電源の復電時に変換ボードからＵＰＳへ起動信号を出力することができ、かつ変換ボード用の外部電源を不要とすることができる無停電電源システム及びインタフェース変換装置を提供する。【解決手段】外部からＡＣ電力を入力するＡＣ入力部２１と、外部にＡＣ電力を出力するＡＣ出力部２７と、ＡＣ入力部２１へのＡＣ電力の入力及びＡＣ出力部２７からのＡＣ電力の出力に応じて第１電源用信号を外部に出力する信号入出力部２９とがＵＰＳ２に設けられている。また、変換ボード４に設けられ、かつ第１電源用信号から得たＤＣ電力を変換ボード４に供給する第１電源部５を有している。【選択図】図１
2015213387.tif 000002
【特許請求の範囲】
【請求項１】
外部から電力を入力する交流入力部と、外部に電力を出力する交流出力部と、前記交流入力部への電力の入力及び前記交流出力部からの電力の出力に応じて定電圧の電源用信号を外部に出力する信号入出力部と、を具備する無停電電源装置と、
前記交流出力部と接続された情報処理装置と、
前記信号入出力部と前記情報処理装置の間に接続された変換基板部と、
前記変換基板部に設けられ、かつ前記電源用信号から得た電力を前記変換基板部に供給する電源部と、
を具備することを特徴とする無停電電源システム。
【請求項２】
前記無停電電源装置は、前記信号入出力部に外部から入力された起動信号に応じて前記交流出力部からの電力の出力を開始するように構成してなり、
前記変換基板部は、前記電源部からの電力の供給の開始に応じて前記起動信号を前記信号入出力部に出力するように構成してなる
ことを特徴とする請求項１記載の無停電電源システム。
【請求項３】
前記信号入出力部は、前記電源用信号を含む直列伝送方式の通信信号を出力するように構成してなり、
前記電源部は、負電圧の前記通信信号から得た電力を前記変換基板部に供給する第１電源部を具備する
ことを特徴とする請求項１又は請求項２記載の無停電電源システム。
【請求項４】
前記電源部は、正電圧の前記通信信号から得た電力を前記変換基板部に供給する第２電源部を具備することを特徴とする請求項３記載の無停電電源システム。
【請求項５】
前記信号入出力部は、前記電源用信号を含む継電器の接点駆動用信号を出力するように構成してなり、
前記電源部は、正電圧の前記接点駆動用信号から得た電力を前記変換基板部に供給する第３電源部を具備する
ことを特徴とする請求項３又は請求項４記載の無停電電源システム。
【請求項６】
前記変換基板部に設けられ、かつ前記電源部に入力された前記通信信号に含まれる前記電源用信号を検出する電源用信号検出部を具備することを特徴とする請求項３又は請求項４記載の無停電電源システム。
【請求項７】
変換基板部に設けられ、かつ外部から入力された電源用信号から得た直流電力を前記変換基板部に供給する電源部を具備し、
前記変換基板部は、前記電源部からの電力の供給の開始に応じて起動信号を外部に出力するように構成してなる
ことを特徴とするインタフェース変換装置。
【発明の詳細な説明】
【技術分野】
【０００１】
この発明は、無停電電源装置と情報処理装置の間にインタフェース変換装置を介在させてなる無停電電源システムに関するものである。
【背景技術】
【０００２】
従来、商用電源とワークステーションなどの情報処理装置（以下「ホスト装置」という）の間に接続され、ホスト装置に無停電で電力を供給する無停電電源装置（Ｕｎｉｎｔｅｒｒｕｐｔｉｂｌｅ  Ｐｏｗｅｒ  Ｓｕｐｐｌｙ，ＵＰＳ）が用いられている（例えば、特許文献１及び特許文献２参照）。
【０００３】
ＵＰＳは、通常時は商用電源から電力を供給して停電時はインバータから電力を供給する方式（いわゆる「常時商用給電方式」）のものと、通常時も停電時もインバータから電力を供給する方式（いわゆる「常時インバータ給電方式」）のものがある。ＵＰＳは、その給電方式によってスイッチの構成及び制御方法が異なる場合がある。そのため、ホスト装置と接続した現行品のＵＰＳを、給電方式が異なる代替品のＵＰＳに保守交換で置きかえた場合、以下のようにインタフェース変換用の変換ボードが必要となることがある。
【０００４】
図９は、ホスト装置３と現行品のＵＰＳ２ａを接続した構成図である。ここで、ＵＰＳ２ａは常時商用給電方式のＵＰＳである。第１スイッチ２５ａは、信号入出力部２９ｂによりＯＮ／ＯＦＦ制御されるものである。また、第２スイッチ２６ａは、ＵＰＳ２ａが検知した商用電源１の停電に応じて切替制御されるものである。
【０００５】
商用電源１が停電すると、まず、第２スイッチ２６ａがインバータ２４とＡＣ出力部２７間を接続する側に切り替わる。次いで、インバータ２４が供給したＡＣ電力を用いて、ホスト装置３がシャットダウン処理を行う。その後、第１スイッチ２５ａがＯＦＦとなり、ＡＣ出力部２７からのＡＣ電力の出力が停止する。このとき、第２スイッチ２６ａはＡＣ入力部２１とＡＣ出力部２７間を接続する側に再度切り替わる。
【０００６】
商用電源１が停電から復旧（以下「復電」という）すると、第２スイッチ２６ａはＡＣ入力部２１とＡＣ出力部２７間を接続している。そのため、商用電源１が供給したＡＣ電力がＡＣ出力部２７から出力される。これにより、ホスト装置３が起動する。
【０００７】
このように、図９に示す第１スイッチ２５ａ及び第２スイッチ２６ａにより制御されるＵＰＳ２ａは、商用電源１の復電時に自動でＡＣ電力の出力を開始するようになっている。
【０００８】
これに対し、図１０は、図９に示す現行品のＵＰＳ２ａを代替品のＵＰＳ２に置きかえた構成図である。ここで、ＵＰＳ２は常時インバータ給電方式のＵＰＳである。第１スイッチ２５は、信号入出力部２９に外部から入力した起動信号（ＯＮ信号）及び停止信号（ＯＦＦ信号）によりＯＮ／ＯＦＦ制御されるものである。また、第２スイッチ２６は、ＵＰＳ２が検出したＵＰＳ２の故障に応じて切替制御されるものである。
【０００９】
商用電源１が停電すると、まず、ホスト装置３がシャットダウン処理を行う。次いで、変換ボード４が信号入出力部２９にＯＦＦ信号を出力する。これにより、第１スイッチ２５がＯＦＦとなり、ＡＣ出力部２７からのＡＣ電力の出力が停止する。このとき、第１スイッチ２５は、停電中のバッテリ２３の過放電を防ぐためにＯＦＦを保持する。
【００１０】
商用電源１が復電すると、変換ボード４が復電を検知する。変換ボード４は、信号入出力部２９にＯＮ信号を出力する。これにより、第１スイッチ２５がＯＮとなり、インバータ２４が出力したＡＣ電力がＡＣ出力部２７から出力される。これにより、ホスト装置３が起動する。
【００１１】
このように、図１０に示す第１スイッチ２５及び第２スイッチ２６により制御されるＵＰＳ２は、商用電源１の復電時に外部からＯＮ信号を入力することでＡＣ電力の出力を開始するようになっている。
【００１２】
以上のように、ホスト装置３と図１０に示す代替品のＵＰＳ２との間に接続した変換ボード４は、商用電源１の停電時にＯＦＦ信号を出力するとともに、復電時にＯＮ信号を出力する必要がある。そのため、電力供給手段は、ＡＣ入力部２１へのＡＣ電力の入力が開始されてから、ＡＣ出力部２７からのＡＣ電力の出力が停止するまでの間、変換ボード４にＤＣ電力を供給する必要がある。
【先行技術文献】
【特許文献】
【００１３】
【特許文献１】特願２０１１−５１５８１８号公報
【特許文献２】特願２００７−３０６３９６号公報
【発明の概要】
【発明が解決しようとする課題】
【００１４】
図１１及び図１２を参照して、図１０に示す代替品のＵＰＳ２に接続した変換ボード４に電力を供給する、現在の一般的な技術を用いて構成した電力供給手段（以下「一般的な電力供給手段」という）について説明する。図１１に示す如く、ＵＰＳ２のＡＣ出力部２７と変換ボード４の間に、独立した第１電源部５ｂが設けられている。また、商用電源１と変換ボード４の間に、独立した第２電源部６ａが設けられている。
【００１５】
図１２に示す如く、第１電源部５ｂは、ＡＣ出力部２７が出力したＡＣ電力をＤＣ電力に変換するＡＣ／ＤＣ変換部５１ｂを有している。これにより、変換したＤＣ電力を変換ボード４に供給するものである。同様に、第２電源部６ａは、ＡＣ入力部２１に入力されるＡＣ電力をＤＣ電力に変換するＡＣ／ＤＣ変換部６１ａを有している。これにより、変換したＤＣ電力を変換ボード４に供給するものである。
【００１６】
図１３に示す如く、時刻Ｔ１において商用電源１が停電すると、ＡＣ入力部２１へのＡＣ電力の供給が停止し、ＵＰＳ２は停電を検知する。また、第２電源部６ａから変換ボード４へのＤＣ電力の供給が停止する。ホスト装置３はシャットダウン処理を行う。
【００１７】
時刻Ｔ２においてホスト装置３のシャットダウン処理が終了すると、変換ボード４は、第１電源部５ｂから供給されたＤＣ電力を用いて信号入出力部２９にＯＦＦ信号を出力する。これにより、第１スイッチ２５がＯＦＦとなり、ＡＣ出力部２７からのＡＣ電力の出力が停止する。また、第１電源部５ｂから変換ボード４へのＤＣ電力の供給が停止し、変換ボード４への電力供給が全て停止する。
【００１８】
時刻Ｔ３において商用電源１が復電すると、ＡＣ入力部２１へのＡＣ電力の供給が開始される。ＵＰＳ２は復電を検知して起動処理を行う。また、第２電源部６ａから変換ボード４へのＤＣ電力の供給が開始され、変換ボード４は復電を検知する。
【００１９】
時刻Ｔ４においてＵＰＳ２の起動処理が終了すると、変換ボード４は、第２電源部６ａから供給されたＤＣ電力を用いて信号入出力部２９にＯＮ信号を出力する。これにより、ＡＣ出力部２７からのＡＣ電力の出力が開始され、ホスト装置３が起動する。また、第１電源部５ｂから変換ボード４へのＤＣ電力の供給が開始される。
【００２０】
以上のように、変換ボード４は、第１電源部５ｂから供給されたＤＣ電力を用いて、商用電源１の停電時にＯＦＦ信号を出力することができる。また、第２電源部６ａから供給されたＤＣ電力を用いて、商用電源１の復電時にＯＮ信号を出力することができる。
【００２１】
しかしながら、一般的な電力供給手段は、独立した２つの外部電源（第１電源部５ｂ及び第２電源部６ａ）と、この外部電源を接続する配線を必要とする。そのため、インタフェース変換装置の設置スペースが限られる現場や、商用電源１のコンセントの数が少ない現場に設置することができない課題があった。また、インタフェース変換装置が高価になる課題があった。
【００２２】
この発明は、上記のような課題を解決するためになされたものであり、商用電源の復電時に変換ボードからＵＰＳへ起動信号を出力することができ、かつ変換ボード用の外部電源を不要とすることができる無停電電源システム及びインタフェース変換装置を提供することを目的とする。
【課題を解決するための手段】
【００２３】
この発明の無停電電源システムは、外部から電力を入力する交流入力部と、外部に電力を出力する交流出力部と、交流入力部への電力の入力及び交流出力部からの電力の出力に応じて定電圧の電源用信号を外部に出力する信号入出力部と、を具備する無停電電源装置と、交流出力部と接続された情報処理装置と、信号入出力部と情報処理装置の間に接続された変換ボード（変換基板部）と、変換ボードに設けられ、かつ電源用信号から得た電力を変換ボードに供給する電源部と、を具備するものである。
【００２４】
また、この発明のインタフェース変換装置は、変換ボードに設けられ、かつ外部から入力された電源用信号から得た直流電力を変換ボードに供給する電源部を具備し、変換ボードは、電源部からの電力の供給の開始に応じて起動信号を外部に出力するように構成してなるものである。
【発明の効果】
【００２５】
この発明の無停電電源システム及びインタフェース変換装置によれば、商用電源の復電時に変換ボードからＵＰＳへ起動信号を出力することができ、かつ変換ボード用の外部電源を不要とすることができる。
【図面の簡単な説明】
【００２６】
【図１】この発明の実施の形態１の無停電電源システムの構成図である。
【図２】この発明の実施の形態１の第１電源部の構成図である。
【図３】この発明の実施の形態１の各時刻における商用電源の状態、ＡＣ入力部のＡＣ電力入力、ＡＣ出力部のＡＣ電力出力、信号入出力部の第１電源用信号出力、第１電源部のＤＣ電力出力及びホスト装置の運転を示す説明図である。
【図４】この発明の実施の形態２の無停電電源システムの構成図である。
【図５】この発明の実施の形態２の第１電源部、第２電源部及び第３電源部の構成図である。
【図６】この発明の実施の形態２の各時刻における商用電源の状態、ＡＣ入力部のＡＣ電力入力、信号入出力部の第２電源用信号出力、ＡＣ出力部のＡＣ電力出力、信号入出力部の第１電源用信号出力、第１電源部のＤＣ電力出力、第２電源部のＤＣ電力出力、第３電源部のＤＣ電力出力及びホスト装置の運転を示す説明図である。
【図７】この発明の実施の形態３の無停電電源システムの構成図である。
【図８】この発明の実施の形態３の第１電源部及び電源用信号検出部の構成図である。
【図９】ホスト装置と現行品のＵＰＳを接続した構成図である。
【図１０】ホスト装置と代替品のＵＰＳを接続した構成図である。
【図１１】一般的な電力供給手段を用いた無停電電源システムの構成図である。
【図１２】一般的な電力供給手段の構成図である。
【図１３】一般的な電力供給手段を用いた場合の各時刻における商用電源の状態、ＡＣ入力部のＡＣ電力入力、ＡＣ出力部のＡＣ電力出力、第１電源部のＤＣ電力出力、第２電源部のＤＣ電力出力及びホスト装置の運転を示す説明図である。
【発明を実施するための形態】
【００２７】
実施の形態１．
図１及び図２を参照して、この発明の実施の形態１の無停電電源システムについて説明する。
図中、１は商用電源である。商用電源１は、電圧の実効値が１００ボルト（Ｖ）の交流電力（ＡＣ電力）を供給するものである。
【００２８】
商用電源１に、交流入力部（ＡＣ入力部）２１が接続されている。ＡＣ入力部２１の出力に、交流直流変換部（ＡＣ／ＤＣ変換部）２２が接続されている。ＡＣ／ＤＣ変換部２２の出力に、蓄電池（バッテリ）２３及び直流交流変換部（インバータ）２４がそれぞれ接続されている。また、バッテリ２３の出力にインバータ２４が接続されている。インバータ２４の出力に、第１スイッチ２５が接続されている。ＡＣ入力部２１の出力、第１スイッチ２５及びＡＣ出力部２７の間に、第２スイッチ２６が介在されている。ＡＣ／ＤＣ変換部２２の出力及びバッテリ２３の出力に、制御部２８が接続されている。制御部２８及び第１スイッチ２５に、信号入出力部２９が接続されている。このようにして、常時インバータ給電方式のＵＰＳ２が構成されている。
【００２９】
第１スイッチ２５は、インバータ２４とＡＣ出力部２７間の接続をＯＮ／ＯＦＦするスイッチである。第１スイッチ２５は、信号入出力部２９に外部から入力された起動信号（ＯＮ信号）及び停止信号（ＯＦＦ信号）によりＯＮ／ＯＦＦ制御されるものである。
【００３０】
また、第２スイッチ２６は、ＡＣ入力部２１とＡＣ出力部２７間を接続するか、又はインバータ２４とＡＣ出力部２７間を接続するかを切り替えるスイッチである。第２スイッチ２６は、ＵＰＳ２が検出したＵＰＳ２の故障に応じて切替制御されるものである。
【００３１】
信号入出力部２９は、バックアップ運転信号、バッテリ低電圧出力信号及びアラーム出力信号を含む独自の制御信号を出力するものである。また、信号入出力部２９は、ＲＳ２３２Ｃ（Ｒｅｃｏｍｍｅｎｄｅｄ  Ｓｔａｎｄａｒｄ  ２３２  ｖｅｒｓｉｏｎ  Ｃ）規格に基づく直列伝送方式（シリアル伝送方式）の通信信号を出力するものである。
一般に、市販のＵＰＳの多くはＵＰＳの設定やリモート制御にＲＳ２３２Ｃ規格の通信信号を用いている。代替品のＵＰＳ２は独自の制御信号を用いる構成であり、これらの通信信号は未使用の信号となる。
【００３２】
ここで、ＡＣ入力部２１へのＡＣ電力の入力が開始されてＵＰＳ２が起動してから、ＡＣ出力部２７からのＡＣ電力の出力が停止するまでの間、信号電圧が連続的に負電圧となる通信信号を以下「第１電源用信号」という。
一般に、ＵＰＳにおいては、通信信号のうち送信データ（ＳＤ）信号の信号電圧が、９６００ビット毎秒（ｂｐｓ）のデータ送信時に最大で約１ミリ秒（ｍｓ）の間正電圧となるが、残余の時間は連続して−４Ｖ〜−１５Ｖの負電圧となるように設定されている。この送信データ（ＳＤ）信号を含む少なくとも１つの通信信号を第１電源用信号として用いることができる。
【００３３】
ＡＣ出力部２７に、ワークステーションなどの情報処理装置（ホスト装置）３が接続されている。ホスト装置３と信号入出力部２９の間に、インタフェース変換用の変換基板部（変換ボード）４が接続されている。変換ボード４に、第１電源部５が設けられている。変換ボード４及び第１電源部５によって、インタフェース変換装置が構成されている。
【００３４】
図２に示す如く、第１電源部５は直流直流変換部（ＤＣ／ＤＣ変換部）５１を有している。ＤＣ／ＤＣ変換部５１の一方の入力端子５２は、信号用接地（ＳＧ）に接続されている。隣設した他方の入力端子５３には、信号入出力部２９が出力したｎ個（ｎは１以上の自然数）の第１電源用信号がダイオード５４１〜５４ｎを介してそれぞれ並列に入力されるようになっている。また、ＤＣ／ＤＣ変換部５１の入力端子５２，５３の間には、容量素子（コンデンサ）５５が設けられている。同様に、変換ボード４に接続した一方の出力端子５６と、電気的に接地した他方の出力端子５７との間には、容量素子（コンデンサ）５８が設けられている。
【００３５】
ここで、コンデンサ５５，５８は、静電容量の値が大きい電解コンデンサなどで構成されている。このようにして構成された第１電源部５は、負電圧の第１電源用信号から得たＤＣ電力を一定電圧の正電圧（＋３Ｖ〜＋５Ｖ）のＤＣ電力に変換して変換ボード４に供給するものである。
【００３６】
変換ボード４は、ＯＮ信号及びＯＦＦ信号を信号入出力部２９に出力するものである。変換ボード４の動作電圧は、例えば＋３Ｖ〜＋５Ｖの正電圧である。また、変換ボード４は消費電流が数１０ミリアンペア（ｍＡ）以下となるように構成されている。
【００３７】
図３を参照して、このようにして構成された無停電電源システムの動作について説明する。
時刻Ｔ１において商用電源１が停電すると、ＡＣ入力部２１へのＡＣ電力の供給が停止し、ＵＰＳ２は停電を検知する。ホスト装置３はシャットダウン処理を行う。
【００３８】
時刻Ｔ２においてホスト装置３のシャットダウン処理が終了すると、変換ボード４は、第１電源部５から供給されたＤＣ電力を用いて信号入出力部２９にＯＦＦ信号を出力する。これにより、第１スイッチ２５がＯＦＦとなり、ＡＣ出力部２７からのＡＣ電力の出力が停止する。
【００３９】
このとき、信号入出力部２９からの第１電源用信号の出力も停止して、信号電圧が零電圧（０Ｖ）となる。これにより、第１電源部５から変換ボード４へのＤＣ電力の供給も停止する。すなわち、変換ボード４への全ての電力供給がすべて停止する。
【００４０】
時刻Ｔ３において商用電源１が復電すると、ＡＣ入力部２１へのＡＣ電力の供給が開始される。ＵＰＳ２は復電を検知して起動処理を行う。
【００４１】
時刻Ｔ４においてＵＰＳ２の起動処理が終了すると、信号入出力部２９からの第１電源用信号の出力が開始されて、信号電圧が負電圧となる。これにより、第１電源部５から変換ボード４へのＤＣ電力の供給が開始され、変換ボード４は復電を検知する。
【００４２】
時刻Ｔ５において、変換ボード４は、第１電源部５から供給されたＤＣ電力を用いて信号入出力部２９にＯＮ信号を出力する。これにより、ＡＣ出力部２７からのＡＣ出力が開始され、ホスト装置３が起動する。
【００４３】
なお、時刻Ｔ６〜Ｔ７は、商用電源１の復電中に第１電源用信号の信号電圧が一時的に正電圧になる時間を示している。このとき、コンデンサ５５，５８の静電容量の値が大きいことから、第１電源部５の電源電圧を安定させることができる。
【００４４】
以上のように、この実施の形態１の無停電電源システムは、外部からＡＣ電力を入力するＡＣ入力部２１と、外部にＡＣ電力を出力するＡＣ出力部２７と、ＡＣ入力部２１へのＡＣ電力の入力及びＡＣ出力部２７からのＡＣ電力の出力に応じて第１電源用信号を外部に出力する信号入出力部２９とがＵＰＳ２に設けられている。また、変換ボード４に設けられ、かつ負電圧の第１電源用信号から得たＤＣ電力を変換ボード４に供給する第１電源部５を有している。
これにより、商用電源１の停電時に変換ボード４からＵＰＳ２へＯＦＦ信号を出力するとともに、復電時に変換ボード４からＵＰＳ２へＯＮ信号を出力することができる。また、変換ボード４用の外部電源を不要とすることで、インタフェース変換装置の設置スペース及びコストを低減することができる。
【００４５】
実施の形態２．
図４及び図５を参照して、複数種類の電源用信号から変換ボード用のＤＣ電力を得る無停電電源システムについて説明する。なお、実施の形態１と同様の構成部材には同一符号を付して説明を省略する。
【００４６】
信号入出力部２９ａは、バックアップ運転信号、バッテリ低電圧出力信号及びアラーム出力信号を含む独自の制御信号を出力するものである。また、信号入出力部２９ａは、ＲＳ２３２Ｃ規格に基づくシリアル伝送方式の通信信号を出力するものである。ここで、ＡＣ入力部２１へのＡＣ電力の入力が開始されてＵＰＳ２が起動してから、ＡＣ出力部２７からのＡＣ電力の出力が停止するまでの間、信号電圧が連続的に−４Ｖ〜−１５Ｖの負電圧となる通信信号を以下「第１電源用信号」という。
【００４７】
また、信号入出力部２９ａは、継電器（リレー）の接点駆動用信号を出力するものである。接点駆動用信号の信号電圧は、＋５Ｖに設定されている。この接点駆動用信号は未使用の信号である。ここで、ＡＣ入力部２１へのＡＣ電力の入力が開始されてＵＰＳ２が起動してから、ＡＣ出力部２７からのＡＣ電力の出力が停止するまでの間、信号電圧が連続的に＋５Ｖの正電圧となる接点駆動用信号を以下「第２電源用信号」という。
【００４８】
信号入出力部２９ａとホスト装置３の間に、インタフェース変換用の変換ボード４が接続されている。この変換ボード４に、第１電源部５、第２電源部６及び第３電源部７が設けられている。変換ボード４、第１電源部５、第２電源部６及び第３電源部７によって、インタフェース変換装置が構成されている。
【００４９】
図５に示す如く、第２電源部６は直流直流変換部（ＤＣ／ＤＣ変換部）６１を有している。ＤＣ／ＤＣ変換部６１の入力端子６２には、信号入出力部２９ａが出力したｎ個（ｎは１以上の自然数）の第１電源用信号が、直列に接続した抵抗素子６３１〜６３ｎ及びダイオード６４１〜６４ｎを介してそれぞれ並列に入力されるようになっている。ＤＣ／ＤＣ変換部６１の入力端子６２と信号用接地（ＳＧ）の間には、容量素子（コンデンサ）６５が設けられている。同様に、変換ボード４に接続した出力端子６６と、信号用接地（ＳＧ）の間には、容量素子（コンデンサ）６７が設けられている。このようにして構成された第２電源部６は、正電圧の第１電源用信号から得たＤＣ電力を一定電圧（＋３Ｖ〜＋５Ｖ）の正電圧のＤＣ電力に変換して変換ボード４に供給するものである。
【００５０】
また、第３電源部７は、アノードに第２電源用信号が入力され、かつカソードを変換ボード４に接続したダイオード７１を有している。ダイオード７１のカソードと信号用接地（ＳＧ）の間には、容量素子（コンデンサ）７２が設けられている。このようにして構成された第３電源部７は、信号入出力部２９ａが出力した正電圧（＋５Ｖに限定されるものではなく、例えば＋１２Ｖでもよい）の第２電源用信号から得たＤＣ電力を変換ボード４に供給するものである。
【００５１】
このようにして構成された実施の形態２の無停電電源システムは、実施の形態１の無停電電源システムと同様に動作する。
すなわち、図６に示す如く、時刻Ｔ１において商用電源１が停電した後、時刻Ｔ２においてホスト装置３のシャットダウン処理が終了すると、変換ボード４は第１電源部５及び第３電源部７から供給されたＤＣ電力を用いて信号入出力部２９ａにＯＦＦ信号を出力する。また、時刻Ｔ３において商用電源１が復電した後、時刻Ｔ４においてＵＰＳ２の起動処理が終了すると、変換ボード４は第１電源部５及び第３電源部７から供給されたＤＣ電力を用いて信号入出力部２９ａにＯＮ信号を出力する。
【００５２】
なお、時刻Ｔ６〜Ｔ７は、商用電源１の復電中に第１電源用信号の信号電圧が一時的に正電圧になった時間を示している。このとき、変換ボード４は、第２電源部６から供給されたＤＣ電力をさらに使用することができる。
【００５３】
以上のように、この実施の形態２の無停電電源システムは、負電圧の第１電源用信号から得たＤＣ電力を変換ボード４に供給する第１電源部５と、正電圧の第１電源用信号から得たＤＣ電力を変換ボード４に供給する第２電源部６と、正電圧の第２電源用信号から得たＤＣ電力を変換ボード４に供給する第３電源部７とが変換ボード４に設けられている。
これにより、商用電源１の停電時に変換ボード４からＵＰＳ２へＯＦＦ信号を出力するとともに、復電時に変換ボード４からＵＰＳ２へＯＮ信号を出力することができる。また、変換ボード４用の外部電源を不要とすることで、インタフェース変換装置の設置スペース及びコストを低減することができる。
さらに、複数種類の電源用信号から得たＤＣ電力を用いることで、変換ボード４への電力供給を安定させることができる。
【００５４】
実施の形態３．
図７及び図８を参照して、通信信号に含まれる第１電源用信号を検出する電源用信号検出部を設けた無停電電源システムについて説明する。なお、実施の形態１と同様の構成部材には同一符号を付して説明を省略する。
【００５５】
第１電源部５ａのＤＣ／ＤＣ変換部５１の入力端子５３には、信号入出力部２９が出力した負電圧のすべての通信信号がそれぞれ並列に入力されるようになっている。
【００５６】
変換ボード４に、電源用信号検出部８が設けられている。電源用信号検出部８は、第１電源部５ａの信号用接地（ＳＧ）及び各通信信号が入力される線路とそれぞれ接続されている。電源用信号検出部８は、第１電源部５ａに入力された通信信号に含まれる第１電源用信号を検出するものである。
【００５７】
このようにして構成された実施の形態３の無停電電源システムの動作について説明する。
ＡＣ入力部２１へのＡＣ電力の入力が開始されると、信号入出力部２９はＲＳ２３２Ｃ規格の通信信号の出力を開始する。このとき、電源用信号検出部８は、第１電源部５ａに入力されたすべての通信信号のうち、初期状態の信号電圧が負電圧となる第１電源用信号を検出する。
【００５８】
これにより、商用電源１が次回停電してから復電したとき、第１電源部５ａは適切な第１電源用信号から得たＤＣ電力を変換ボード４に供給することができる。
【００５９】
以上のように、この実施の形態３の無停電電源システムは、変換ボード４に設けられ、かつ第１電源部５ａに入力された通信信号に含まれる第１電源用信号を検出する電源用信号検出部８を有している。
これにより、ＵＰＳ２の設定や仕様に応じて、適切な通信信号を第１電源用信号として用いることができる。
【００６０】
なお、入力端子５３は、信号入出力部２９が出力したすべての通信信号が入力されものとしてもよい。このうち正電圧の通信信号に対応するダイオード５４１〜５４ｎは、アノードとカソードとが図８と逆向きに接続される。また、ダイオード５４１〜５４ｎに対して直列にスイッチを接続して、正電圧の通信信号のうち通信に用いるものが電力に変換されるのを防ぐ構成としてもよい。
【００６１】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６２】
１  商用電源
２，２ａ  無停電電源装置（ＵＰＳ）
３  情報処理装置（ホスト装置）
４  変換基板部（変換ボード）
５，５ａ、５ｂ  第１電源部
６，６ａ  第２電源部
７  第３電源部
８  電源用信号検出部
２１  交流入力部（ＡＣ入力部）
２２  交流直流変換部（ＡＣ／ＤＣ変換部）
２３  蓄電池（バッテリ）
２４  直流交流変換部（インバータ）
２５，２５ａ  第１スイッチ
２６，２６ａ  第２スイッチ
２７  交流出力部（ＡＣ出力部）
２８  制御部
２９，２９ａ，２９ｂ  信号入出力部
５１  直流直流変換部（ＤＣ／ＤＣ変換部）
５２，５３  入力端子
５４１〜５４ｎ  ダイオード
５５，５８  容量素子（コンデンサ）
５６，５７  出力端子
５１ｂ  交流直流変換部（ＡＣ／ＤＣ変換部）
６１  直流直流変換部（ＤＣ／ＤＣ変換部）
６２  入力端子
６３１〜６３ｎ  抵抗素子
６４１〜６４ｎ  ダイオード
６５，６７  容量素子（コンデンサ）
６１ａ  交流直流変換部（ＡＣ／ＤＣ変換部）
７１  ダイオード
７２  容量素子（コンデンサ）
【図１】
2015213387.tif 000003
【図２】
2015213387.tif 000004
【図３】
2015213387.tif 000005
【図４】
2015213387.tif 000006
【図５】
2015213387.tif 000007
【図６】
2015213387.tif 000008
【図７】
2015213387.tif 000009
【図８】
2015213387.tif 000010
【図９】
2015213387.tif 000011
【図１０】
2015213387.tif 000012
【図１１】
2015213387.tif 000013
【図１２】
2015213387.tif 000014
【図１３】
2015213387.tif 000015